(57)【特許請求の範囲】
【請求項１】
両端部に扁平部を設けた略Ｕ字状の１対の脚パイプと、両脚パイプの扁平部を重ね合わせて、両脚パイプの扁平部同士を回動自在に連結する連結軸とを有し、両脚パイプを設定角度開脚させた設置姿勢と、両脚パイプを閉脚させた収納姿勢とに姿勢切換え可能な支持脚と、
前記支持脚により支持される上部物干し具であって、略Ｕ字状の上部パイプと、一方の脚パイプの扁平部に側方より嵌合可能な嵌合溝を有し、脚パイプの扁平部に嵌合溝を嵌合させて、前記連結軸により脚パイプの両端部に相対回転不能にそれぞれ固定した１対の連結板と、上部パイプの両端部を連結板に対して回動自在に連結して、上部パイプを、支持脚から上方へ延ばした物干し姿勢と、脚パイプに重ね合わせた収納姿勢とに姿勢切換え可能に支持する支軸と、連結板と上部パイプとの相対回転を規制して、上部パイプを物干し姿勢に保持する規制手段であって、上部パイプの端部付近に固定したナット部材と、上部パイプを物干し姿勢に回動させた状態において、前記ナット部材に対応する連結板の周方向位置に形成した切欠部と、ナット部材に螺合して切欠部に係脱可能な規制ネジとを備えた規制手段とを有し、物干し姿勢における上部パイプの水平部分を物干し部となした上部物干し具と、
を備えたことを特徴とする物干し器。
【請求項２】
前記脚パイプの一方における１対の脚部間に回動自在に架設支持した枢支部と、枢支部の長さ方向に間隔をあけて複数並設され、枢支部から一側方へ片持ち状に延びる複数のアーム部と、他方の脚パイプの脚部に係脱可能に係合し、アーム部を略水平な物干し姿勢に保持する係合部とを有する下部物干し具を設けた請求項１記載の物干し器。
【請求項３】
前記上部パイプを、下部物干し部とは独立に収納姿勢に切換え可能となした請求項２記載の物干し器。
【請求項４】
前記１対の脚パイプと上部パイプとを同一部材で構成した請求項１〜３のいずれか１項記載の物干し器。
【請求項５】
前記上部パイプの物干し部の両端部に上方へ突出する突起を突出形成した請求項１〜４のいずれか１項記載の物干し器。
【発明の詳細な説明】
【技術分野】
【０００１】
本発明は、物干し器に関する。
【背景技術】
【０００２】
物干し器として、ベランダ等に設置可能な１対の支柱と、両支柱の途中部間に架設された上下１対の水平パイプと、水平パイプから側方へ片持ち状に延びる複数のアーム部と、支柱の上部から側方へ延びる支持腕とを有し、タオル類をアーム部に引っ掛けて干すことができるとともに、両支持腕上に物干し竿をセットして、物干し竿の途中部に衣類用ハンガーを引っ掛けて衣類を干すことができるように構成したものが提案されている（例えば、特許文献１参照。）。
【０００３】
また、本出願人は、特許文献２において、略Ｕ字状の１対の脚パイプと、両脚パイプの端部同士を回動自在に連結する連結軸とを有し、両脚パイプを設定角度開脚させた設置姿勢と、両脚パイプを閉脚させた収納姿勢とに姿勢切換え可能な支持脚と、両脚パイプにそれぞれ設けた物干し具であって、脚パイプにおける１対の脚部の途中部間に回動自在に架設支持した枢支部と、枢支部の長さ方向に間隔をあけて複数並設され、枢支部から一側方へ片持ち状に延びる複数のアーム部と、枢支部から他側方へ延びて他方の脚パイプの脚部に係脱可能に係合し、アーム部を略水平な物干し姿勢に保持する係合部とを有する物干し具とを備えた物干し器を提案し、実施している。
【０００４】
【特許文献１】特許第２９９７８８２号公報
【特許文献２】意匠登録第１１４６１２９号公報
【発明の開示】
【発明が解決しようとする課題】
【０００５】
特許文献１記載のように、タオル等を引っ掛ける物干し部と、衣類用ハンガーを引っ掛ける物干し部とを備えた物干し器は、一般的に据え置きタイプに構成されており、容易に折り畳むことができないことから、室内での一時的なし用には適さず、またベランダ等において使用する場合においても、大きな設置場所が定常的に必要になるという問題があった。
【０００６】
一方、特許文献２記載の物干し器は、小型軽量で容易に持ち運びが可能であり、しかも脚パイプを重ね合わせてコンパクトに折り畳むことができるので、ベランダに限らず室内での使用にも好適であるが、衣類用ハンガーを引っ掛ける物干し部を備えていないので、衣類を干すことができないものであった。
【０００７】
本発明の目的は、衣類用ハンガーを引っ掛けて衣類を干すことができ、しかもコンパクトに折り畳みが可能で且つ安価に製作可能な物干し器を提供することである。
【課題を解決するための手段】
【０００８】
本出願人は、現在製造販売している物干し器に対して多少の改良を加えることで、タオル類だけでなく、衣類をも干すことができ、しかもコンパクトに折り畳み可能な物干し器の開発について鋭意検討し、本発明を完成するに至った。
【０００９】
本発明に係る物干し器は、両端部に扁平部を設けた略Ｕ字状の１対の脚パイプと、両脚パイプの扁平部を重ね合わせて、両脚パイプの扁平部同士を回動自在に連結する連結軸とを有し、両脚パイプを設定角度開脚させた設置姿勢と、両脚パイプを閉脚させた収納姿勢とに姿勢切換え可能な支持脚と、前記支持脚により支持される上部物干し具であって、略Ｕ字状の上部パイプと、一方の脚パイプの扁平部に側方より嵌合可能な嵌合溝を有し、脚パイプの扁平部に嵌合溝を嵌合させて、前記連結軸により脚パイプの両端部に相対回転不能にそれぞれ固定した１対の連結板と、上部パイプの両端部を連結板に対して回動自在に連結して、上部パイプを、支持脚から上方へ延ばした物干し姿勢と、脚パイプに重ね合わせた収納姿勢とに姿勢切換え可能に支持する支軸と、連結板と上部パイプとの相対回転を規制して、上部パイプを物干し姿勢に保持する規制手段であって、上部パイプの端部付近に固定したナット部材と、上部パイプを物干し姿勢に回動させた状態において、前記ナット部材に対応する連結板の周方向位置に形成した切欠部と、ナット部材に螺合して切欠部に係脱可能な規制ネジとを備えた規制手段とを有し、物干し姿勢における上部パイプの水平部分を物干し部となした上部物干し具とを備えたものである。
【００１０】
この物干し器では、支持脚を設置姿勢に開脚させるとともに、上部パイプを物干し姿勢に回動させ、規制手段により連結板と上部パイプとの相対回転を規制した状態で、上部パイプの水平な物干し部に衣類用ハンガーを掛けて、衣類を干すことになる。また、物干し器を収納する際には、１対の脚パイプを重ね合わせて、支持脚を収納姿勢に切換えるとともに、上部パイプを回動させて、脚パイプに重ね合わせることで、物干し器をコンパクトに折り畳むことができる。
また、前記連結板の一側面に、脚パイプの扁平部に側方より嵌合する嵌合溝を形成し、脚パイプの端部に嵌合溝を嵌合させて、連結板を脚パイプに相対回転不能に取り付けるので、簡単な構成で、連結板を脚パイプに対して相対回転不能に連結することができる。
前記規制手段として、上部パイプの端部付近に固定したナット部材と、上部パイプを物干し姿勢に回動させた状態において、前記ナット部材に対応する連結板の周方向位置に形成した切欠部と、ナット部材に螺合して切欠部に係脱可能な規制ネジとを備えたものを用いているので、規制ネジの螺進量を切換えて、規制ネジを切欠部に係合させることで、上部パイプを使用位置に保持し、規制ネジを切欠部から離脱させることで、上部パイプを連結板に対して回動自在に切換えることができる。
【００１１】
ここで、前記脚パイプの一方における１対の脚部間に回動自在に架設支持した枢支部と、枢支部の長さ方向に間隔をあけて複数並設され、枢支部から一側方へ片持ち状に延びる複数のアーム部と、他方の脚パイプの脚部に係脱可能に係合し、アーム部を略水平な物干し姿勢に保持する係合部とを有する下部物干し具を設けることも好ましい実施の形態である。このように構成すると、下部干し具のアーム部にタオル類を引っ掛けて干すことができるので、１つの物干し器で、衣類とタオル類を干すことができ、物干し器の利用範囲を拡大できる。また、このように下部物干し具を設ける場合には、前記上部パイプを、下部物干し部とは独立に収納姿勢に切換え可能とすることで、タオル類のみを干すときには、上部パイプを脚パイプに重ね合わせて、物干し器をコンパクトに構成することができ、室内やベランダにおける物干し器の占有スペースを極力小さくできる。
【００１４】
前記１対の脚パイプと上部パイプとを同一部材で構成することも好ましい実施の形態である。このように構成すると、部品の種類を少なくして、その保管性を向上できる。
【００１５】
前記上部パイプの物干し部の両端部に上方へ突出する突起を突出形成することも好ましい実施の形態である。このように構成することで、物干し部に引っ掛けた衣類用ハンガーの脱落を防止することができる。
【発明の効果】
【００１６】
本発明に係る物干し器によれば、物干し器を構成する主要部品としての両脚パイプと上部パイプとを、パイプ部材で構成できるので、物干し器の製作コストを安くできるとともに、軽量で且つ持ち運びが容易な物干し器となるので、ベランダでの使用は云うまでもなく、室内での使用にも適した物干し具を実現できる。また、タオル類を引っ掛けて干すことが可能な既存の物干し器を利用して、タオル類だけでなく、衣類用ハンガーで衣類を干すことが可能な物干し器を製作できる。更に、１対の脚パイプと上部パイプを重ね合わせて、物干し器をコンパクトに折り畳むことができるので、室内やベランダの空間を有効利用することが可能となる。
更に、連結板の一側面に、脚パイプの扁平部に側方より嵌合する嵌合溝を形成し、脚パイプの端部に嵌合溝を嵌合させて、連結板を脚パイプに相対回転不能に取り付けるので、簡単な構成で、連結板を脚パイプに対して相対回転不能に連結することができる。
更にまた、規制手段として、上部パイプの端部付近に固定したナット部材と、上部パイプを物干し姿勢に回動させた状態において、前記ナット部材に対応する連結板の周方向位置に形成した切欠部と、ナット部材に螺合して切欠部に係脱可能な規制ネジとを備えたものを用いているので、規制ネジの螺進量を切換えて、規制ネジを切欠部に係合させることで、上部パイプを使用位置に保持し、規制ネジを切欠部から離脱させることで、上部パイプを連結板に対して回動自在に切換えることができる。
【発明を実施するための最良の形態】
【００１７】
以下、本発明の実施例について図面を参照しながら説明する。
図１に示すように、物干し器１は、ベランダや室内への設置用の支持脚２と、支持脚２の上方において略水平に延びる衣類用の物干し部２０ｂを有する上部物干し具３と、支持脚２の上部から前方へ片持ち状に略水平に延びる複数のアームロッド（アーム部に相当する。）５１を有する第１下部物干し具４と、支持脚２の上部から後方へ片持ち状に略水平に延びる複数のアームロッド（アーム部に相当する。）６１を有する第２下部物干し具５とを備え、上部物干し具３の物干し部２０ｂに対して、衣類用ハンガーＨのフックを引っ掛けて衣類を干したり、バスタオルなどの長物を直接的に引っ掛けて干したりでき、また第１及び第２下部物干し具４、５のアームロッド５２、６１に対して、タオルやハンカチなどのタオル類を引っ掛けて干すことができるように構成したものである。
【００１８】
支持脚２は、図１〜図４に示すように、略Ｕ字状の前後１対の脚パイプ１０、１１と、両脚パイプ１０、１１の端部同士を回動自在に連結する連結ネジ１２（連結軸に相当する。）とを有し、連結ネジ１２を中心に、両脚パイプ１０、１１を設定角度開脚させた図１に図示の設置姿勢と、両脚パイプ１０、１１を閉脚させた図８に図示の収納姿勢とに姿勢切換え可能に構成したものである。
【００１９】
上部物干し具３は、図１〜図４に示すように、略Ｕ字状の上部パイプ２０と、後部脚パイプ１１の両端部に固定した１対の連結板２１と、上部パイプ２０の両端部を連結板２１に対して回動自在に連結して、上部パイプ２０を、支持脚２から上方へ延ばした図１に図示の物干し姿勢と、両脚パイプ１０、１１に重ね合わせた図８に図示の収納姿勢とに姿勢切換え可能に支持する支持ネジ（支軸に相当する。）２２と、連結板２１と上部パイプ２０との相対回転を規制して、上部パイプ２０を物干し姿勢に保持する規制手段２３とを有し、物干し姿勢における上部パイプ２０の水平部分を衣類用の物干し部２０ｂとなしたものである。
【００２０】
前部脚パイプ１０は、図１〜図４に示すように、略平行に配置される左右１対の脚部１０ａと、両脚部１０ａの下端部を連結する設置部１０ｂとを有し、後部脚パイプ１１は、略平行に配置される左右１対の脚部１１ａと、両脚部１１ａの下端部を連結する設置部１１ｂとを有し、両脚パイプ１０、１１は、中空の金属製パイプを略Ｕ字状に折り曲げてそれぞれ製作されている。前部脚パイプ１０の両端部には扁平部１０ｃが形成され、後部脚パイプ１１の両端部には扁平部１１ｃが形成され、扁平部１０ｃ、１１ｃの先端近傍部には連結ネジ１２が挿通する挿通孔１３、１４がそれぞれ形成されている。
【００２１】
上部パイプ２０は、図１〜図４に示すように、略平行に配置される左右１対の支持部２０ａと、両支持部２０ａの端部を連結する略水平な物干し部２０ｂとを有し、中空の金属製パイプを略Ｕ字状に折り曲げて製作されている。上部パイプ２０の両端部には扁平部２０ｃが形成され、扁平部２０ｃの先端近傍部には支持ネジ２２が挿通する挿通孔２４が形成され、物干し部２０ｂの両端部には、物干し部２０ｂからの衣類用ハンガーＨの脱落を防止する突起２５が形成されている。
【００２２】
両脚パイプ１０、１１及び上部パイプ２０は、略Ｕ字状に折り曲げて扁平部１０ｃ、１１ｃ、２０ｃ及び挿通孔１３、１４、２４を形成する製造工程までは同一構造に構成され、この状態で保管することで、嵩高な脚パイプ１０、１１及び上部パイプ２０の収納スペースを極力少なくできるように構成されている。
【００２３】
連結板２１は、円板状の金属板からなり、連結板２１の一側面には後部脚パイプ１１の扁平部１１ｃに側方より嵌合する嵌合溝２６が形成され、連結板２１の中央部には連結ネジ１２が挿通する挿通孔２７が形成されている。
【００２４】
両脚パイプ１０、１１の連結構造について説明すると、図２〜図６に示すように、前部脚パイプ１０における１対の扁平部１０ｃと、後部脚パイプ１１における１対の扁平部１１ｃとが、前部脚パイプ１０における１対の扁平部１０ｃを内側にし、後部脚パイプ１１における１対の扁平部１１ｃを外側にして、両扁平部１０ｃ、１１ｃ間にワッシャ４０を介在させた状態でそれぞれ重ね合わせて設けられ、外側に配置される後部脚パイプ１１の扁平部１１ｃの外側には、該扁平部１１ｃに嵌合溝２６を嵌合させて連結板２１が重ね合わせて設けられている。そして、支持脚２の左右両側にそれぞれ配置される、前部脚パイプ１０の扁平部１０ｃと後部脚パイプ１１の扁平部１１ｃと連結板２１とは、これら３者の挿通孔１３、１４、２７に対して連結板２１側から連結ネジ１２を装着し、ワッシャ４１を介在させた状態で連結ネジ１２にナット４２を締結することでそれぞれ一体的に連結されている。この連結構造では、前部脚パイプ１０と後部脚パイプ１１とは連結ネジ１２を中心に相対回転可能に連結され、連結板２１は後部脚パイプ１１とともに一体的に回転するように構成されている。但し、連結板２１を前部脚パイプ１０側に相対回転しないように取り付けることも可能である。
【００２５】
連結板２１に対する上部パイプ２０の連結構造について説明すると、図２〜図６に示すように、連結板２１には支持孔２８が形成され、この支持孔２８は、挿通孔２７の前側に一定間隔をあけて配置されている。連結板２１の外側には上部パイプ２０の扁平部２０ｃがワッシャ４５を介在させて重ね合わせて設けられ、上部パイプ２０は、支持孔２８と扁平部２０ｃの挿通孔２４に対して、連結板２１側から支持ネジ２２を装着し、支持ネジ２２にワッシャ４６を介在させた状態でナット４７を締結することで、連結板２１に対して回転自在に連結されている。
【００２６】
上部パイプ２０を物干し姿勢に保持するための規制手段２３について説明すると、図２〜図６に示すように、支持孔２８の上側において連結板２１には切欠部２９が形成され、上部パイプ２０における扁平部２０ｃの切欠部２９に対応する位置にはナット部材３０が溶着され、ナット部材３０には規制ネジ３１が切欠部２９内へ螺進可能に螺合されている。そして、上部パイプ２０を物干し姿勢に回動させた状態で、規制ネジ３１を指で回転操作して、規制ネジ３１の先端部を切欠部２９内に挿入することで、上部パイプ２０を物干し姿勢に保持でき、規制ネジ３１を指で回転操作して、規制ネジ３１の先端部を切欠部２９から抜き取ることで、上部パイプ２０を物干し姿勢から収納姿勢へ回動できるように構成されている。尚、切欠部２９に代えて、規制ネジ３１が挿通可能な貫通孔を形成することも可能である。また、規制手段２３としては、規制ネジ３１を用いる以外に、上部パイプ２０と連結板２１とにわたってピン等を挿入することで、上部パイプ２０を物干し姿勢に保持できるように構成したものなどを用いることも可能である。
【００２７】
第１下部物干し具４は、複数本の金属ロッドを溶接して製作したもので、前後に平行配置される左右方向の２本の支持ロッド５０と、左右方向に一定間隔おきに併設した複数本のアームロッド５１とを備え、各アームロッド５１の基部を両支持ロッド５０にそれぞれ溶接するとともに、各アームロッド５１の先端部を支持ロッド５０から前方へ片持ち状に延設したものである。前側の支持ロッド（枢支部に相当する。）５０には左右両端のアームロッド５１から側方へ延びる枢支軸部が形成され、この枢支軸部を前部脚パイプ１０における脚部１０ａの上部に回動自在に装着することで、第１下部物干し具４は前部脚パイプ１０に対して回動自在に支持されている。後部脚パイプ１１における左右の脚部１１ａの上部には下向きのフック部５２が形成され、左右両端のアームロッド５１の後端部には、フック部５２に後方より係脱可能に係合する横向き略Ｕ字状の係合部５３が形成されている。
【００２８】
そして、この第１下部物干し具４では、図１に示すように、フック部５２に係合部５３を係合させることで、アームロッド５１を前方へ略水平に延設させた物干し姿勢に支持され、後部脚パイプ１１の下端を前側へ少し移動させて、フック部５２から係合部５３を離脱させてから、図１に矢印Ａで示すように第１下部物干し具４を回動させることで、図８に示すように、第１下部物干し具４を両脚パイプ１０、１１を含む面内に重ね合わせた収納姿勢に折り畳むことができるように構成されている。また、係合部５３がフック部５２に係合した状態では、後部脚パイプ１１の後方への移動が規制され、これにより両脚パイプ１０、１１が設置姿勢以上に開脚しないように構成されている。
【００２９】
第２下部物干し具５は、図１に示すように、複数本の金属ロッドを溶接して製作したもので、前後に平行配置される左右方向の２本の支持ロッド６０と、左右方向に一定間隔おきに併設した複数本のアームロッド６１とを備え、各アームロッド６１の基部を両支持ロッド６０にそれぞれ溶接するとともに、各アームロッド６１の先端部を支持ロッド６０から後方へ片持ち状に延設したものである。前側の支持ロッド（枢支部に相当する。）６０には左右両端のアームロッド６１から側方へ延びる枢支軸部が形成され、この枢支軸部を前部脚パイプ１０における両脚部１０ａの上部に回動自在に装着することで、第２下部物干し具５は前部脚パイプ１０に対して回動自在に支持されている。後部脚パイプ１１における左右の脚部１１ａの上部間には、第２下部物干し具５のアームロッド６１を下方から支持可能な係止ロッド６２が架設状に設けられている。
【００３０】
そして、この第２下部物干し具５では、図１に示すように、各アームロッド６１の途中部を係止ロッド６２で下側から受けとめることにより、アームロッド６１が後方へ略水平に延びる物干し姿勢に支持され、図１に矢印Ｂで示すように、第２下部物干し具５を回動させることで、図８に示すように、第２下部物干し具４を両脚パイプ１０、１１を含む面内に重ね合わせた収納姿勢に折り畳むことができるように構成されている。尚、第２下部物干し具５の各アームロッド６１は、第１下部物干し具４の各アームロッド６１に対して左右方向に一定距離ずらした位置に配置され、第１下部物干し具４とは独立に、第２下部物干し具５のみを収納姿勢に回動できるように構成されている。
【００３１】
次に、物干し器１の使用方法について説明する。
タオル類や衣類を干すときには、図１に示すように、上部パイプ２０を上方へ延ばした物干し姿勢に回動させて、規制ネジ３１により上部パイプ２０を物干し姿勢に固定するとともに、第１及び第２下部物干し具４、５をそのアームロッド５１、６１を略水平にした物干し姿勢に保持した状態で、タオル類を第１及び第２下部物干し具４、５のアームロッド５１、６１に引っ掛けるとともに、上部パイプ２０の物干し部２０ｂに衣類用ハンガーＨを用いて衣類を吊るして、タオル類や衣類を干すことになる。但し、物干し器１のどの部分に何を干すかは、利用者の好みに応じて任意に設定できる。
【００３２】
また、タオル類のみを干す場合には、規制ネジ３１を回転操作して規制ネジ３１の先端部を切欠部２９から抜き取り、図７に示すように、支持ネジ２２を中心に上部パイプ２０を手前側へ回動させて、上部パイプ２０を前部脚パイプ１０の前側に重ね合わせ、第１及び第２下部物干し具４、５のみを使用して、タオル類を干すことになる。このように、上部パイプ２０を前部脚パイプ１０の前側に重ね合わせることで、衣類用ハンガーＨで衣類を干さない場合における物干し器１の意匠性を向上できるとともに、上部パイプ２０が室内空間やベランダの空間を無意味に占有することを防止できる。また、干し物が少ない場合には、図示していないが、第２下部物干し具５のみを手前側へ回動させて、前部脚パイプ１０の前側に重ね合わせることができるので、物干し器１が占有するスペースを極力小さく設定することができる。
【００３３】
更に、収納するときには、図８に示すように、前後の脚パイプ１０、１１と上部パイプ２０とを重ね合わせるとともに、これら３つのパイプ１０、１１、２０の内側に第１及び第２下部物干し具４、５を配置させて、物干し器１を略平板状に折り畳むことになる。
【図面の簡単な説明】
【００３４】
【図１】物干し器の使用状態での斜視図
【図２】物干し器のパイプ連結部分付近の斜視図
【図３】物干し器のパイプ連結部分付近の分解斜視図
【図４】物干し器のパイプ連結部分付近の側面図
【図５】図４のV-V線断面図
【図６】図４のVI-VI線断面図
【図７】物干し具の他の使用状態での斜視図
【図８】物干し器の収納状態での斜視図
【符号の説明】
【００３５】
１      物干し器            ２      支持脚
３      上部物干し具        ４      第１下部物干し具
５      第２下部物干し具    Ｈ      衣類用ハンガー
１０    前部脚パイプ        １０ａ  脚部
１０ｂ  設置部              １０ｃ  扁平部
１１    後部脚パイプ        １１ａ  脚部
１１ｂ  設置部              １１ｃ  扁平部
１２    連結ネジ            １３    挿通孔
１４    挿通孔
２０    上部パイプ          ２０ａ  支持部
２０ｂ  物干し部            ２０ｃ  扁平部
２１    連結板              ２２    支持ネジ
２３    規制手段            ２４    挿通孔
２５    突起                ２６    嵌合溝
２７    挿通孔              ２８    支持孔
２９    切欠部              ３０    ナット部材
３１    規制ネジ
４０    ワッシャ            ４１    ワッシャ
４２    ナット              ４５    ワッシャ
４６    ワッシャ            ４７    ナット
５０    支持ロッド          ５１    アームロッド
５２    フック部            ５３    係合部
６０    支持ロッド          ６１    アームロッド
６２    係止ロッド
【図１】
0004816131.tif 000002
【図２】
0004816131.tif 000003
【図３】
0004816131.tif 000004
【図４】
0004816131.tif 000005
【図５】
0004816131.tif 000006
【図６】
0004816131.tif 000007
【図７】
0004816131.tif 000008
【図８】
0004816131.tif 000009